(57)【特許請求の範囲】
【請求項１】
原稿画像読み取り部と、通信制御部と、解像度として少なくとも標準、高画質、超高画質を選択する読み取り解像度選択操作部と、各々の解像度操作選択レベルに読み取り解像度を設定登録する制御部とを備え、読み取り解像度の設定登録は、標準、高画質、超高画質の順に行うものであり、制御部は、標準の解像度の設定では、解像度の高い方から２つを除き表示して選択設定させることとし、高画質の解像度の設定では、最高解像度と前記標準設定した解像度以下を除き表示して選択設定させることとし、超高画質の解像度の設定では、前記高画質設定した解像度以下を除き表示して選択設定させることとすることを特徴とする通信端末装置。
【請求項２】
前記読み取り解像度の設定登録は、中間調の場合には水平と垂直の方向の解像度が等しいか、又は略等しい解像度から選択設定させることを特徴とする請求項１記載の通信端末装置。
【発明の詳細な説明】
【０００１】
【発明の属する技術分野】
この発明は、ファクシミリ装置などの通信端末装置に関する。
【０００２】
【従来の技術】
従来ファクシミリ装置では、送信画像の解像度が高いと情報量が増し、通信料金も高くなるので、送信解像度を選択して、原稿を読み取っている。また、近年、ファクシミリ装置にコピー機能が付き、高画質の読み取りが可能となっている。
【０００３】
【発明が解決しようとする課題】
従来の上記ファクシミリ装置では、操作選択により、多数の解像度を数値手選択するのは面倒であるし、分かりづらいという問題がある。また、標準、高解像度、超高解像度、写真について、それぞれ一義的に対応させている。
【０００４】
この発明は上記問題点に着目してなされたものであって、ユーザの使用状況に応じて解像度を設定し得る通信端末装置を提供することを目的としている。
【０００５】
【課題を解決するための手段】
この発明の通信端末装置は、原稿画像読み取り部と、通信制御部と、解像度として少なくとも標準、高画質、超高画質を選択する読み取り解像度選択操作部と、各々の解像度操作選択レベルに読み取り解像度を設定登録する制御部とを備え、読み取り解像度の設定登録は、標準、高画質、超高画質の順に行うものであり、制御部は、標準の解像度の設定では、解像度の高い方から２つを除き表示して選択設定させることとし、高画質の解像度の設定では、最高解像度と前記標準設定した解像度以下を除き表示して選択設定させることとし、超高画質の解像度の設定では、前記高画質設定した解像度以下を除き表示して選択設定させることとすることを特徴とする。
【０００６】
この通信端末装置では、解像度選択操作部で、例えば標準、高画質、超高画質、写真の１つを解像度として選択する。また、制御部により、各々の解像度操作選択レベル、例えば標準、高画質、超高画質、写真の各操作選択レベル毎に、読み取り解像度を設定登録する。ユーザは、各解像度操作選択レベルに対応した読み取り解像度を自由に設定することができる。
【０００７】
【発明の実施の形態】
以下、実施の形態により、この発明をさらに詳細に説明する。図１は、この発明が実施される複写機能付きファクシミリ装置の概略構成を示すブロック図である。この複写機能付きファクシミリ装置２１は、ＭＰＵ（制御部）１、ＲＯＭ２、ＲＡＭ３、画像メモリ（ＤＲＡＭ）４、操作パネル（操作部）５、各種データ等を表示する表示部６、バス７、ＮＣＵ８、モデム９、スキャナ１０、プリンタ（出力部）１１、ＣＯＤＥＣ１２、ＬＡＮＩ／Ｆ１３を備える。ここでは、ＲＯＭ２、ＲＡＭ３、画像メモリ４で記憶部が構成され、ＮＣＵ８、モデム９、ＣＯＤＥＣ１２、ＬＡＮ１／Ｆ１３で通信部が構成される。
【０００８】
ＭＰＵ１は、この装置２１を構成する各部を制御すると共に、通信部を通して外部の情報源からデータを受信して記憶部に記憶させ、記憶部に記憶させたデータを表示部６に表示させる機能を有する。ＲＯＭ２は、この装置２１を制御するためのプログラムを記憶する。ＲＡＭ３は、データ等を一時的に記憶する。画像メモリ４は、受信画データやスキャナ１０で読み取った画データを送信する場合の、その画データを一時的に記憶する。操作パネル５は、ユーザがＦＡＸ送信・受信、プリント等の指示をするためのものである。操作パネル５及び表示部６は、後述するように、解像度設定モードを選択する表示、それぞれ解像度の選択レベルの標準、高画質、超画質、写真に応じ、選択し得る解像度を表示する。
【０００９】
ＮＣＵ８は、電話回線（ＰＳＴＮ）１４との接続を制御すると共に、相手先の電話番号（ＦＡＸ番号を含む）に対応したダイヤル信号の送出及び着信を検出するための機能を備えている。モデム９は、ＩＴＵ−Ｔ勧告Ｔ．３０に従ったファクシミリ伝送制御手順に基づいて、Ｖ．１７、Ｖ．２７ｔｅｒ、Ｖ．２９等に従った送受信データの変調及び復調を行う。スキャナ１０は、ＦＡＸ送信及びコピーをするときに原稿の画データを読み取る。プリンタ１１は、受信画データや、コピー動作においてスキャナ１０で読み取った原稿の画データを記録紙上に記録する。ＣＯＤＥＣ１２は、読み取った画データを送信するためにＭＨ、ＭＲ、ＭＭＲ方式等により符号化（エンコード）し、受信画データを復号（デコード）する。
【００１０】
ＬＡＮＩ／Ｆ１３は、インターネット１５を介して通信を行うため、ＬＡＮネットワーク１５に接続される。
【００１１】
次に、この実施形態ファクシミリ装置の読み取り解像度のカスタマイズ処理を図２に示すフロー図を参照して説明する。
【００１２】
先ず、ステップＳＴ１において、読み取り解像度のカスタマイズ設定か否かを判定する。操作パネル５でカスタマイズ設定（解像度設定モード）がなされていると、ステップＳＴ２へ移行する。ステップＳＴ２においては、表示部６に「標準の解像度を選択して下さい」の表示を行うとともに、解像度の高い方から２つを除き、選択可能な解像度を表示し、選択入力待ちとなる。その表示例を図３の（ａ）に示す。ここで高い方から２つの解像度は、６００×６００ｄｐｉ、１２００×１２００ｄｐｉである。次に、ステップＳＴ３へ移行する。
【００１３】
ステップＳＴ３においては、選択入力有りか否かを判定する。選択入力が無ければ、あるまで待機する。一方、選択入力が有れば、ステップＳＴ４へ移行する。ステップＳＴ４においては、選択された解像度を標準として設定する。そして、ステップＳＴ５へ移行する。標準の解像度としては、例えば２００×２００ｄｐｉが選択される。
【００１４】
ステップＳＴ５においては「高画質の解像度を選択して下さい」を表示部６に表示するとともに、最高解像度と標準に設定した解像度以下を除き、選択可能な解像度を表示し、選択入力待ちとなる。その表示例を図３の（ｂ）に示す。ここでは、ステップＳＴ３において、２００×２００ｄｐｉを標準の解像度として選択した場合を示している。次に、ステップＳＴ６へ移行する。ステップＳＴ６においては、選択入力有りか否かを判定する。選択入力が無ければ、有るまでこのステップＳＴ６にて待機する。一方、選択入力が有れば、ステップＳＴ７へ移行する。ステップＳＴ７においては、選択された解像度を高画質として設定する。高画質の解像度としては、例えば４００×４００ｄｐｉが選択される。次に、ステップＳＴ８へ移行する。
【００１５】
ステップＳＴ８においては、表示部６に「超高画質の解像度を選択して下さい」を表示するとともに、高画質に設定した解像度以下を除き、選択可能な解像度を表示し、選択入力待ちとなる。その表示例を図４に示す。ここでは、ステップＳＴ６において、４００×４００ｄｐｉを高画質の解像度として選択した場合を示している。続いて、ステップＳＴ９へ移行する。ステップＳＴ９においては、選択入力有りか否かを判定する。選択入力が無ければ、有るまでこのステップＳＴ９にて待機する。一方、選択入力が有れば、ステップＳＴ１０へ移行する。ステップＳＴ１０においては、選択入力された解像度を超高画質として設定する。そして、ステップＳＴ１１へ移行する。超高画質の解像度としては、例えば１２００×１２００ｄｐｉが選択される。
【００１６】
ステップＳＴ１１においては、表示部６に「写真の解像度を選択して下さい」の表示をするとともに、全ての正方解像度を表示し、選択入力待ちとなる。ここで「正方解像度」は、ｓｑｕａｒｅ  ｓｐａｔｉａｌ  ｒｅｓｏｌｕｔｉｏｎの和訳として記載したものであり、その意味は水平方向と垂直方向の解像度が等しい、即ち１画素が正方形である解像度を意味する。ｄｐｉ（ｄｏｔ  ｐｅｒ  ｉｎｃｈ）の場合は、完全な正方形であるが、ミリ形の場合のＲ８×７．７ライン／ｍｍやＲ１６×１５．４ライン／ｍｍも含むものとする。以上のものを本願では、仮に正方解像度と称している。続いて、ステップＳＴ１２へ移行する。ステップＳＴ１２においては、選択入力有りか否かを判定する。選択入力が無ければ、入力されるまで、このステップＳＴ１２にとどまり、待機する。一方、選択入力が有れば、ステップＳＴ１３へ移行する。ステップＳＴ１３においては、選択入力された解像度を写真として設定する。以上で、読み画像の解像度のカスタマイズ処理を終了する。なお、図５に中間調、図６にカラーの、それぞれ選択し得る解像度の例を示している。ここで中間調にはモノクロやカラーの画像を含み、例えば写真画像である。
【００１７】
【発明の効果】
請求項１に係る発明によれば、読み取り解像度の設定登録時に、各解像度操作選択レベルの順に各解像度操作選択レベルに適した解像度から選択設定し得るようにしているので、誤操作を防ぐことができるだけでなく、設定済みの解像度から判別して矛盾しない解像度を選択できる。
【００１８】
また、請求項２に係る発明によれば、中間調の場合に、水平と垂直の方向解像度が等しいか、又は略等しい解像度のみから選択設定させるようにしているので、中間調に適した解像度で自由に設定できる。
【図面の簡単な説明】
【図１】この発明の一実施形態であるファクシミリ装置の概略構成を示す図である。
【図２】同実施形態ファクシミリ装置の読み取り解像度のカスタマイズ処理を説明するためのフロー図である。
【図３】同実施形態ファクシミリ装置の標準及び高画質の読み取り解像度の選択設定時の表示例を示す図である。
【図４】超高画質の読み取り解像度の選択設定時の表示例を示す図である。
【図５】中間調（写真）の選択可能な解像度の例を示す図である。
【図６】カラー（写真）の選択可能な解像度の例を示す図である。
【符号の説明】
１            ＭＰＵ
２            ＲＯＭ
３            ＲＡＭ
４            画像メモリ
５            操作パネル
６            表示部
７            バス
８            ＮＣＵ
９            モデム
１０          スキャナ
１１          プリンタ
１２          ＣＯＤＥＣ
１３          ＬＡＮＩ／Ｆ
１４          電話回線
１５          ＬＡＮ
【図１】
0003622677.tif 000002
【図２】
0003622677.tif 000003
【図３】
0003622677.tif 000004
【図４】
0003622677.tif 000005
【図５】
0003622677.tif 000006
【図６】
0003622677.tif 000007